(57)【特許請求の範囲】
【請求項１】
前端のチャックにビットを、その後方のハウジングにサイドハンドルのリング状のクランプ部を夫々着脱可能に装着した電動工具の前記ハウジングに着脱可能なカップ部と、そのカップ部の前方に連結されて前記ビットの周囲を覆う集塵筒とからなる集塵カップであって、
前記カップ部の後方に、前記カップ部の軸心側へ突出する爪部を備えた複数の係止腕を延設して、
前記係止腕を前記サイドハンドルのクランプ部と電動工具のハウジングとの間に差し込んだ状態で前記爪部を前記ハウジング側に係止させることで、前記電動工具への装着を可能としたことを特徴とする集塵カップ。
【請求項２】
前端のチャックにビットを、その後方のハウジングにサイドハンドルのリング状のクランプ部を夫々着脱可能に装着した電動工具であって、
前記クランプ部が装着されるハウジングの外面に、前記集塵カップの装着状態で請求項１に記載の集塵カップの係止腕が嵌合可能な複数の溝を凹設すると共に、前記係止腕の爪部が係止可能な被係止部を形成して、
前記集塵カップの係止腕を前記溝に嵌合させると共に、前記爪部を前記被係止部に係止させた状態で、前記サイドハンドルのクランプ部を前記ハウジングへ緊締することで、前記爪部が前記被係止部から脱却する方向への前記係止腕の移動が規制されて前記集塵カップが装着されることを特徴とする電動工具。
【請求項３】
前端のチャックにビットを、その後方のハウジングにサイドハンドルのリング状のクランプ部を夫々着脱可能に装着した電動工具であって、
前記クランプ部が装着されるハウジングの外面に、前記集塵カップの装着状態で請求項１に記載の集塵カップの係止腕が嵌合可能な複数の溝を凹設すると共に、前記係止腕の爪部が係止可能な被係止部を形成して、
前記集塵カップの係止腕を前記ハウジングに取り付けた前記サイドハンドルのクランプ部とハウジングとの間に差し込んで前記係止腕を前記溝に嵌合させると共に、前記爪部を前記被係止部に係止させることで、前記集塵カップが装着されることを特徴とする電動工具。
【発明の詳細な説明】
【技術分野】
【０００１】
本発明は、電動工具へ集塵用に装着される集塵カップと、その集塵カップを用いるハンマドリル等の電動工具に関する。
【背景技術】
【０００２】
ハンマドリル等の電動工具においては、先端のチャックに装着したドリルビットを回転させて穿孔作業を行う際、被穿孔材から生じる粉塵を飛散させないように、ハウジングに集塵カップが装着される。この集塵カップは、特許文献１に示すように、筒状のカップ部と、そのカップ部の前方に連結され、ドリルビットを中心としてその周囲を非接触で覆う筒型の容器とからなるものが知られている。この集塵カップは、電動工具に設けられたサイドグリップ（サイドハンドル）を利用して装着される。すなわち、サイドグリップのテンションリングを、カップ部の後方に延設したフランジごと工具のハウジングに締め付けることで、サイドグリップの装着と同時に集塵カップの装着も行うものである。
【０００３】
【特許文献１】特開平９−１９３１４６号公報
【発明の開示】
【発明が解決しようとする課題】
【０００４】
しかし、上記集塵カップはサイドグリップのテンションリングによる単純な緊締である上、テンションリングとハウジングとの間に集塵カップを介在させているため、サイドグリップが滑ったり、集塵カップの単独使用時には集塵カップががたついたりするおそれがあって装着状態が不安定となっている。
【０００５】
そこで、本発明は、装着時の信頼性が高く、使い勝手に優れる集塵カップと電動工具とを提供することを目的としたものである。
【課題を解決するための手段】
【０００６】
上記目的を達成するために、請求項１に記載の発明は、前端のチャックにビットを、その後方のハウジングにサイドハンドルのリング状のクランプ部を夫々着脱可能に装着した電動工具のハウジングに着脱可能なカップ部と、そのカップ部の前方に連結されてビットの周囲を覆う集塵筒とからなる集塵カップであって、カップ部の後方に、カップ部の軸心側へ突出する爪部を備えた複数の係止腕を延設して、係止腕をサイドハンドルのクランプ部と電動工具のハウジングとの間に差し込んだ状態で爪部をハウジング側に係止させることで、電動工具への装着を可能としたことを特徴とするものである。
【０００７】
上記目的を達成するために、請求項２に記載の発明は、前端のチャックにビットを、その後方のハウジングにサイドハンドルのリング状のクランプ部を夫々着脱可能に装着した電動工具であって、クランプ部が装着されるハウジングの外面に、集塵カップの装着状態で請求項１に記載の集塵カップの係止腕が嵌合可能な複数の溝を凹設すると共に、係止腕の爪部が係止可能な被係止部を形成して、集塵カップの係止腕を溝に嵌合させると共に、爪部を被係止部に係止させた状態で、サイドハンドルのクランプ部をハウジングへ緊締することで、爪部が被係止部から脱却する方向への係止腕の移動が規制されて集塵カップが装着されることを特徴とするものである。
上記目的を達成するために、請求項３に記載の発明は、前端のチャックにビットを、その後方のハウジングにサイドハンドルのリング状のクランプ部を夫々着脱可能に装着した電動工具であって、クランプ部が装着されるハウジングの外面に、集塵カップの装着状態で請求項１に記載の集塵カップの係止腕が嵌合可能な複数の溝を凹設すると共に、係止腕の爪部が係止可能な被係止部を形成して、集塵カップの係止腕をハウジングに取り付けたサイドハンドルのクランプ部とハウジングとの間に差し込んで係止腕を溝に嵌合させると共に、爪部を被係止部に係止させることで、集塵カップが装着されることを特徴とするものである。
【発明の効果】
【０００８】
本発明によれば、集塵カップ単独でも係止腕によって電動工具への係止力が得られるため、電動工具との一体性が高まり、集塵カップが外力によって偶発的に外れたり回転したりすることがない。よって、装着状態での信頼性が高く、使い勝手に優れる。
特に、請求項２に記載の発明によれば、サイドハンドルのクランプ部によって係止腕の抜け止めがなされるため、集塵カップ装着時の信頼性がより高まる。
【発明を実施するための最良の形態】
【０００９】
以下、本発明の実施の形態を図面に基づいて説明する。
図１は、集塵カップの一例を示す縦断面図、図２はカップ部の説明図で、集塵カップ１は、ハンマドリル等の電動工具に装着される筒状のカップ部２と、カップ部２の前端（図の左側）に同軸で外装される集塵筒３とからなる。集塵筒３は、合成樹脂製で蛇腹状を呈し、後端がカップ部２の外周面で周方向に突設した凸条４に当接する位置まで外装され、この状態で、凸条４の前方に突設した抜け止め突起５，５・・が、集塵筒３の後端内周に凹設した凹部６，６・・に係合することで、カップ部２と集塵筒３とが一体に連結される。
【００１０】
一方、カップ部２は、前端の小径部７の中央に透孔８を穿設して後方が開口される筒状体で、小径部７には、図３にも示すように、電動工具のビットが挿入可能な透孔１０とその周囲で放射状に連通する切込１１，１１・・とを形成したゴム製のシールキャップ９が、小径部７の側面に設けた抜け止め突起１２，１２・・とシールキャップ９の内面に凹設した凹部１３，１３・・との係合によって嵌着されている。また、カップ部２の後端には、後方へ突出する４つの係止腕１４，１４・・が周方向に等間隔で延設されて、各係止腕１４の後端には、内側に突出する爪部１５が夫々形成されている。
【００１１】
以上の如く構成された集塵カップ１は、図４〜６に示すように、電動工具の一例であるハンマドリル２０に、サイドハンドル２７を利用して固定される。ハンマドリル２０は、図示しない回転・打撃機構が内設されるハウジング２１の先端に、ドリルビット２３が着脱可能なチャック２２を備えており、ハウジング２１におけるチャック２２の後方部位には、サイドハンドル２７の締着部２４が形成されている。この締着部２４の外周に、集塵カップ１のカップ部２の係止腕１４，１４・・が嵌合可能な４つの溝２５，２５・・が軸方向に形成されると共に、各溝２５の後端に、係止腕１４の爪部１５が係止可能な被係止部としての係止凹部２６が形成されている。
【００１２】
サイドハンドル２７は、図６に示す如く、締着部２４へ装着されるクランプ部２８と、そのクランプ部２８に連結される図示しないグリップとからなる。クランプ部２８は、一カ所にスリットを有して締着部２４を周回するリング状で、両端には、締着部２４の接線上に位置する筒状の基端部２９，２９を有し、両基端部２９，２９を貫通する図示しないボルトの回転操作でクランプ部２８の内径を拡縮させることで、締着部２４への固定とその解除とを可能としたものである。
【００１３】
よって、サイドハンドル２７のクランプ部２８による締着部２４の緊締を緩めた状態で、集塵カップ１のカップ部２をハウジング２１の前方から、係止腕１４を締着部２４の溝２５に夫々合わせた状態で被着し、そのまま後方へ押し込むと、各係止腕１４の爪部１５が係止凹部２６に係止する。この状態でクランプ部２８を締め付ければ、図４〜６に示すように、クランプ部２８の内周面が各溝２５内の係止腕１４の外面に近接して各係止腕１４の締着部２４周方向と放射方向との移動を共に規制するため、カップ部２は締着部２４と一体に連結され、集塵カップ１の装着が完了する。なお、この状態でクランプ部２８の内周面は係止腕１４の外面に当接しない。
一方、集塵カップ１を取り外す場合は、クランプ部２８を緩めて各係止腕１４の抜け止めを解除すれば、係止腕１４が締着部２４の放射方向へ移動可能となるため、カップ部２を前方へ抜き取るように引っ張れば、爪部１５が係止凹部２６から外れて集塵カップ１を取り外すことができる。
【００１４】
このように、上記形態の集塵カップ１及びハンマドリル２０によれば、集塵カップ１単独でも係止腕１４によってハンマドリル２０への係止力が得られるため、ハンマドリル２０との一体性が高まり、集塵カップ１が外力によって偶発的に外れたり回転したりすることがない。よって、装着状態での信頼性が高く、使い勝手に優れる。
特にここでは、サイドハンドル２７のクランプ部２８をハウジング２１へ緊締した状態で、爪部１５が係止凹部２６から脱却する方向への係止腕１４の移動が規制される構成としているから、サイドハンドル２７のクランプ部２８によって係止腕１４の抜け止めがなされ、集塵カップ装着時の信頼性がより高まる。
【００１５】
なお、上記形態では、集塵カップの係止腕が締着部の溝内に丁度収まる格好となって、サイドハンドルのクランプ部の緊締状態では集塵カップが取り外し不能となっているが、図７，８に示すハンマドリル２０ａのように、締着部２４に形成する溝２５ａ，２５ａ・・を、集塵カップ１の爪部１５を含めた係止腕１４の肉厚と等しいか或いはそれよりも大きく形成することで、クランプ部２８の緊締状態でも爪部１５の係止凹部２６からの脱却を可能としても良い。この場合、集塵カップ１の抜け止めを爪部１５と係止凹部２６との係止力に頼ることになるが、サイドハンドル２７のクランプ部２８をいちいち緩めなくても集塵カップ１の着脱が可能となるため、使い勝手の面で先の形態よりも優れたものとなる。
【００１６】
また、係止腕の形態は上記形態に限らず、係止腕の数を増減したり等の設計変更が可能で、同様に溝も係止腕に対応した増減が可能である。但し、溝の数は係止腕よりも多くして、集塵カップを装着できる位相をより多く設定することもできる。
さらに、被係止部は、上記形態では溝に連続し周方向へ断続的な係止凹部としているが、周方向に連続する溝状にしても差し支えない。
【００１７】
そして、本発明の集塵カップは、ハウジングに係止腕の爪部が係止できる被係止部を有した電動工具であれば、サイドハンドルの締着部に溝を有しない電動工具にも装着可能である。但し、この場合は回り止めをサイドハンドルの緊締に頼ることになる。また、被係止部がなくても、クランプ部の締着部と集塵カップの係止腕との間にリング状のスペーサを介在させて、係止腕の爪部をスペーサの端部に係止させるようにすれば、集塵カップの使用は可能である。
その他、電動工具としては、本発明の集塵カップが装着可能であれば、ハンマドリルに限らず、電動ドリル等の他の機種でも本発明の適用が可能である。
【図面の簡単な説明】
【００１８】
【図１】集塵カップの縦断面図である。
【図２】カップ部の説明図（左が正面、中央が側面、右が背面を夫々示す）である。
【図３】ハンマドリルに装着した集塵カップを前方から見た説明図である。
【図４】Ａ−Ａ線断面図である。
【図５】Ｂ−Ｂ線断面図である。
【図６】Ｃ−Ｃ線断面図である。
【図７】変更例のハンマドリルに集塵カップを装着した状態を示す縦断面図である。
【図８】Ｄ−Ｄ線断面図である。
【符号の説明】
【００１９】
１・・集塵カップ、２・・カップ部、３・・集塵筒、９・・シールキャップ、１４・・係止腕、１５・・爪部、２０・・ハンマドリル、２１・・ハウジング、２２・・チャック、２３・・ドリルビット、２４・・締着部、２５・・溝、２６・・係止凹部、２７・・サイドハンドル、２８・・クランプ部。
【図１】
0004648233.tif 000002
【図２】
0004648233.tif 000003
【図３】
0004648233.tif 000004
【図４】
0004648233.tif 000005
【図５】
0004648233.tif 000006
【図６】
0004648233.tif 000007
【図７】
0004648233.tif 000008
【図８】
0004648233.tif 000009